(57)【要約】      （修正有）【課題】携帯に容易なモバイル端末器でハイクォリティーの音源を提供し、アーティストに対する所有価値と携帯に便利なフラッシュメモリーカードアルバムを提供する。【解決手段】フラッシュメモリーカードアルバムは、アーティストの音源を格納するフラッシュメモリーカード１１０と、板形態の構造からなり、フラッシュメモリーカードが結合する結合溝が形成され、一面にアーティストの情報を表示する携帯用カード保管部１２０と、携帯用カード保管部を挿入固定する溝が形成されたケース１３０と、ケースの両側端部に形成されて二段に折りたたまれる複数のカバー１４０、１５０と、を含む。【選択図】図１
0003195984.tif 000002
【実用新案登録請求の範囲】
【請求項１】
フラッシュメモリーカードアルバムにおいて、
アーティストの音源を格納するフラッシュメモリーカードと、
板形態の構造からなり、前記フラッシュメモリーカードが結合する結合溝が形成され、一面に前記アーティストの情報を表示する携帯用カード保管部と、
前記携帯用カード保管部を挿入固定する溝が形成されたケースと、
前記ケースの両側端部に形成されて二段に折りたたまれる複数のカバーと、
を含むことを特徴とするフラッシュメモリーカードアルバム。
【請求項２】
前記フラッシュメモリーカードは、
マイクロＳＤカードであり、外部にはアルバム名がプリントされ、内部にはミュージックビデオ、ライブ公演、アルバム製作過程のマルチメディアコンテンツをさらに格納することを特徴とする、請求項１に記載のフラッシュメモリーカードアルバム。
【請求項３】
前記携帯用カード保管部の結合溝は、
結合解除のために一部面を開放して前記フラッシュメモリーカードの一部接触面を露出することを特徴とする、請求項１または２に記載のフラッシュメモリーカードアルバム。
【請求項４】
前記ケースは、
前記溝内部に挿入固定される前記携帯用カード保管部を外部へ持ち上げる搬出リボンを含むことを特徴とする、請求項１に記載のフラッシュメモリーカードアルバム。
【請求項５】
前記複数のカバーのいずれか一つは、
折りたたまれる内側面に前記アーティストのアルバム関連情報が記録されたアルバムパンフレットが付着することを特徴とする、請求項１に記載のフラッシュメモリーカードアルバム。
【請求項６】
前記複数のカバーは、
折りたたまれた状態における外側面一部に導体部が形成された第１カバーと、前記第１カバーを覆う内側面の一部に磁石部が形成されて磁力により閉じられた状態を固定する第２カバーと、を含むことを特徴とする、請求項１に記載のフラッシュメモリーカードアルバム。
【請求項７】
前記ケースと前記カバーは、
合成樹脂材料、金属材料、紙加工材料のうちの少なくとも一つを含んで製作されることを特徴とする、請求項１に記載のフラッシュメモリーカードアルバム。
【請求項８】
フラッシュメモリーカードアルバムにおいて、
アーティストの音源を格納するフラッシュメモリーカードと、
板形態の構造からなり、前記フラッシュメモリーカードが結合する結合溝が形成され、一面に前記アーティストの写真が表示される額縁形態の携帯用カード保管部と、
前記携帯用カード保管部を挿入固定する第１溝、および前記アーティストのアルバム関連情報が記録されたパンフレットが挿入される第２溝が形成されたケースと、
開放された一側面に収納された前記ケースを取り囲む形態に保護するカバーと、
を含むことを特徴とするフラッシュメモリーカードアルバム。
【請求項９】
前記携帯用カード保管部は、
一側面に前記アーティストの写真を含み、他側面に額縁の据え置きのための溝や支え具が形成されたことを特徴とする、請求項８に記載のフラッシュメモリーカードアルバム。
【請求項１０】
前記携帯用カード保管部は、
規格化された外周面の所定位置に少なくとも一つの結合突起と結合溝が形成されて複数の携帯用カード保管部と上下左右に結合することを特徴とする、請求項８に記載のフラッシュメモリーカードアルバム。
【請求項１１】
前記フラッシュメモリーカードは、
前記音源としてマスタリングクォリティー音源（Ｍａｓｔｅｒｉｎｇ  Ｑｕａｌｉｔｙ  Ｓｏｕｎｄ、ＭＱＳ）ファイルを格納することを特徴とする、請求項１または８に記載のフラッシュメモリーカードアルバム。
【請求項１２】
前記フラッシュメモリーカードは、
製作時に製品固有識別情報を格納し、前記製品固有識別情報は、アルバムの製品登録、オンライン上で同一のアルバムの異種音源をダウンロードしたり、オンライン上における前記アーティスト関連サービスを受けるための認証キーであることを特徴とする、請求項１または８に記載のフラッシュメモリーカードアルバム。
【考案の詳細な説明】
【技術分野】
【０００１】
本考案は、フラッシュメモリーカードアルバムに関する。
【背景技術】
【０００２】
一般にアーティストの著作物である音源は、ＣＤ（Ｃｏｍｐａｃｔ  Ｄｉｓｃ）に格納されて販売店を通じて普及されている。そして、情報通信技術が発達しながら使用者がインターネットを通じた音源ダウンロードサイトに接続して代価を払い、使用者のＰＣや携帯用端末器に直接音源をダウンロードする方式で普及されている。
【０００３】
ＣＤを通じた音源は、ｍｐ３のようなダウンロード方式の音源（以下、デジタル音源という）に比べて音質がよく、所有価値のある長所があるが、ＣＤ自体のサイズが大きく、再生端末器に限界があり、使用者がモバイル端末器で音楽を聞くためにはＰＣで変換をしなければならないという不便な問題点がある。
【０００４】
また、デジタル音源は、モバイル端末器で簡便に再生できる長所があるが、その音質が劣り、無形のファイルだけが存在するため、当該アーティストに対する所有価値がない問題点がある。
【考案の概要】
【考案が解決しようとする課題】
【０００５】
したがって、本考案は、前記問題点を解決するためのものであって、携帯に容易なモバイル端末器でハイクォリティー（Ｈｉｇｈ  ｑｕａｌｉｔｙ）の音源を提供し、アーティストに対する所有価値と携帯に便利なフラッシュメモリーカードアルバムを提供するためのものである。
【課題を解決するための手段】
【０００６】
前述した技術課題を解決するための本考案の実施形態に係るフラッシュメモリーカードアルバムは、アーティストの音源を格納するフラッシュメモリーカードと、板形態の構造からなり、前記フラッシュメモリーカードが結合する結合溝が形成され、一面に前記アーティストの情報を表示する携帯用カード保管部と、前記携帯用カード保管部を挿入固定する溝が形成されたケースと、前記ケースの両側端部に形成されて二段に折りたたまれる複数のカバーと、を含む。
【０００７】
また、前記フラッシュメモリーカードは、マイクロＳＤ（Ｓｅｃｕｒｅ  Ｄｉｇｉｔａｌ）カードであり、外部にはアルバム名がプリントされ、内部にはミュージックビデオ、ライブ公演、アルバム製作過程のマルチメディアコンテンツをさらに格納することができる。
【０００８】
また、前記携帯用カード保管部の結合溝は、結合解除のために一部面を開放して前記フラッシュメモリーカードの一部接触面を露出することができる。
【０００９】
また、前記ケースは、前記溝内部に挿入固定される前記携帯用カード保管部を外部へ持ち上げる搬出リボンを含むことができる。
【００１０】
また、前記複数のカバーのいずれか一つは、折りたたまれる内側面に前記アーティストのアルバム関連情報が記録されたアルバムパンフレットを付着することができる。
【００１１】
また、前記複数のカバーは、折りたたまれた状態における外側面一部に導体部が形成された第１カバーと、前記第１カバーを覆う内側面の一部に磁石部が形成されて磁力により閉じられた状態を固定する第２カバーと、を含むことができる。
【００１２】
前記ケースとカバーは、合成樹脂材料、金属材料、紙加工材料のうちの少なくとも一つを含んで製作することができる。
【００１３】
一方、本考案の他の一実施形態によるフラッシュメモリーカードアルバムは、アーティストの音源を格納するフラッシュメモリーカードと、板形態の構造からなり、前記フラッシュメモリーカードが結合する結合溝が形成され、一面に前記アーティストの写真が表示される額縁形態の携帯用カード保管部と、前記携帯用カード保管部を挿入固定する第１溝、および前記アーティストのアルバム関連情報が記録されたパンフレットが挿入される第２溝が形成されたケースと、開放された一側面に収納された前記ケースを取り囲む形態に保護するカバーと、を含む。
【００１４】
また、前記携帯用カード保管部は、一側面に前記アーティストの写真を含み、他側面に額縁の据え置きのための溝や支え具が形成されてもよい。
【００１５】
また、前記携帯用カード保管部は、規格化された外周面の所定位置に少なくとも一つの結合突起と結合溝が形成されて複数の携帯用カード保管部と上下左右に結合することができる。
【００１６】
また、前記フラッシュメモリーカードは、前記音源としてマスタリングクォリティー音源（Ｍａｓｔｅｒｉｎｇ  Ｑｕａｌｉｔｙ  Ｓｏｕｎｄ、ＭＱＳ）ファイルを格納することができる。
【００１７】
また、前記フラッシュメモリーカードは、製作時に製品固有識別情報を格納し、前記製品固有識別情報は、アルバムの製品登録、オンライン上で同一のアルバムの異種音源をダウンロードしたり、オンライン上における前記アーティスト関連サービスを受けるための認証キー（ｋｅｙ）であり得る。
【考案の効果】
【００１８】
前述した構成を有する本考案の実施形態によれば、フラッシュメモリーカードを通じて携帯に容易なモバイル端末器でも再生が可能なハイクォリティーの音源を提供することができる。
【００１９】
そして、フラッシュメモリーカードを結合保管が可能な携帯用カード保管ケースを構成することによって、体積が小さいフラッシュメモリーカードを簡便且つ安全に携帯することができる。
【００２０】
また、アーティストの著作情報を有形のアルバム構造で提供することによって、使用者が無形の音源を購入した時よりも所有価値を高めることができる。
【図面の簡単な説明】
【００２１】
【図１】本考案の第１実施形態に係るフラッシュメモリーカードアルバム構造を概略的に示す分解斜視図である。
【図２】本考案の第１実施形態に係る携帯用カード保管部の構成を示す図面である。
【図３】本考案の第２実施形態に係るフラッシュメモリーカードアルバム構造を概略的に示す分解斜視図である。
【図４】本考案の第２実施形態に係る携帯用カード保管部の構成を示す図面である。
【図５】本考案の第２実施形態に係る複数の携帯用カード保管部が結合された状態を示す図面である。
【考案を実施するための形態】
【００２２】
以下、添付図面を参照して本考案の実施形態について本考案が属する技術分野における通常の知識を有する者が容易に実施できるように詳しく説明する。しかし、本考案は多様な異なる形態に具現することができ、ここで説明する実施形態に限定されない。そして、図面において、本考案を明確に説明するために、説明上不要な部分は省略し、明細書全体にわたって類似する部分については類似する図面符号を付した。
【００２３】
明細書全体において、ある部分がある構成要素を「含む」という時、これは特に反対の記載がない限り、他の構成要素を除くのではなく、他の構成要素をさらに含むことができることを意味する。また、明細書に記載された「…部」、「…器」、「モジュール」などの用語は、少なくとも一つの機能がや動作を処理する単位を意味する。
【００２４】
次に、本考案の実施形態に係るフラッシュメモリーカードアルバム構造物について図面を参照して詳細に説明する。
【００２５】
図１は、本考案の第１実施形態に係るフラッシュメモリーカードアルバム構造を概略的に示す分解斜視図である。
【００２６】
図１を参照すれば、本考案の第１実施形態に係るフラッシュメモリーカードアルバム１００は、フラッシュメモリーカード１１０と、フラッシュメモリーカード１１０が結合する携帯用カード保管部１２０と、携帯用カード保管部１２０を挿入固定する溝１３１が形成されたケース１３０と、ケース１３０の両側端部に形成されて二段に折りたたまれる複数のカバー１４０、１５０とを含む。
【００２７】
フラッシュメモリーカード１１０は、超小型マイクロＳＤ（Ｓｅｃｕｒｅ  Ｄｉｇｉｔａｌ）カードであり、外部にはアルバム名をプリンティングし、内部にはアーティストの著作物である多様な音源を格納する。例えば、フラッシュメモリーカード１１０にはミュージックビデオ、ライブ公演、アルバム製作過程などのマルチメディアコンテンツをさらに格納することができる。
【００２８】
特に、本考案の実施形態に係るフラッシュメモリーカード１１０は、音源としてマスタリングクォリティー音源（Ｍａｓｔｅｒｉｎｇ  Ｑｕａｌｉｔｙ  Ｓｏｕｎｄ、ＭＱＳ）ファイルを格納することができる。
【００２９】
ここでＭＱＳは、スタジオでマスタリングする時に取り扱われる高解像度音源を意味するもので、当社「ｉｒｉｖｅｒ」で開発して命名したもので、現在幅広く使用されている用語である。
【００３０】
ＭＱＳは、従来の損失音源であるｍｐ３ファイルが１曲当り平均６〜７ＭＢ程度である反面、ＭＱＳ音源は１曲当たり１００ＭＢ以上のデータに製作されて高い解像力を通じて豊富な空間感と細密且つ躍動的な表現を提供することができる点から既存の音源と差別化される。
【００３１】
また、フラッシュメモリーカード１１０に格納されたＭＱＳ音源は、ＣＤですら感じられないハイクォリティーのサウンドの再生を可能にするため、これを裏付けられる専用プレー端末器を通じてのみ再生可能である。
【００３２】
また、フラッシュメモリーカード１１０は、製作時に製品固有識別情報を格納し、前記製品固有識別情報は、アルバムの製品登録に使用されたり当該アーティストのファンカフェ（ファンクラブ）、公演予約などに当該アーティストと関連した差別化されたサービスを提供するための情報として活用され得る。例えば、製品固有識別情報は、製品登録を通じてオンライン上で異種の音源（例；ｍｐ３）をダウンロードしたり、オンライン上におけるファンカフェ加入等級およびコンサートチケット購入時の認証キー（ｋｅｙ）情報として活用され得る。
【００３３】
一方、図２は、本考案の第１実施形態に係る携帯用カード保管部の構成を示す図面である。
【００３４】
図２を参照すれば、本考案の実施形態に係る携帯用カード保管部１２０は、板形態の構造からなり、フラッシュメモリーカードが挿入結合される結合溝１２１が形成され、一面にアルバムアーティスト情報表示部１２２が形成される。
【００３５】
フラッシュメモリーカード１１０は、爪程度の小さいサイズであるため、使用者が携帯時に紛失したりデータが損傷する危険がある。
【００３６】
したがって、携帯用カード保管部１２０は、フラッシュメモリーカード１１０と結合することによって、フラッシュメモリーカード１１０の携帯性および安全性を高めることができる。
【００３７】
また、携帯用カード保管部１２０は、アルバムアーティスト情報表示部１２２にアーティストの写真、名前、固有製品番号などの情報を表示し、高級のメタルや合成樹脂材料で構成することによって、フラッシュメモリーカード１１０を保護するケーシング機能と共にアーティストアルバムに対する所有価値を高めることができる。
【００３８】
また、携帯用カード保管部１２０の結合溝１２１は、一部面を開放してフラッシュメモリーカード１１０の一部の指接触面を露出することによって使用者の結合解除を容易にすることができる。
【００３９】
再び、図１を参照すれば、ケース１３０は、溝１３１内部に挿入固定される携帯用カード保管部１２０を外部へ持ち上げる搬出リボン１３２を含む。
【００４０】
第１カバー１４０が折りたたまれる内側面にはアルバム関連情報が記録されたアルバムパンフレット１４１が付着する。
【００４１】
アルバムパンフレット１４１は、当該アーティストの画報および歌詞集を含む。
【００４２】
第１カバー１４０の外側面一部には導体部１６１を形成し、第１カバー１４０を覆う第２カバー１５０の内側面一部には磁石部１６２を形成して、磁力により複数のカバー１４０、１５０の閉じられた状態を固定することができる。
【００４３】
ここで、導体部１６１と磁石部１６２の位置を互いに変えて構成したり、両方を磁石で構成できることは前述の記載から自明である。
【００４４】
また、ケース１３０とカバー１４０、１５０は、プラスチックのような合成樹脂材料、金属材料、紙加工材料のうちの少なくとも一つを含んで製作されてもよい。
【００４５】
一方、図３は、本考案の第２実施形態に係るフラッシュメモリーカードアルバム構造を概略的に示す分解斜視図である。
【００４６】
本考案の第２実施形態に係るフラッシュメモリーカードアルバム２００を説明するに当たり、第１実施形態と類似する構成が多いため、関連付けて参照番号を付与し、類似する機能を有する構成に対する具体的な説明は省略する。
【００４７】
図３を参照すれば、本考案の第２実施形態に係るフラッシュメモリーカードアルバム２００は、フラッシュメモリーカード２１０と、フラッシュメモリーカード２１０が結合する携帯用カード保管部２２０と、上部に携帯用カード保管部２２０が挿入される第１溝２３１、およびアルバム関連情報が記録されたパンフレット２４１が挿入される第２溝２３３が形成されたケース２３０と、開放された一側面に収納されたケース２３０を取り囲む形態に保護するカバー２４０とを含む。
【００４８】
フラッシュメモリーカード２１０の機能は、第１実施形態における説明と同一であるため省略する。
【００４９】
一方、図４は、本考案の第２実施による携帯用カード保管部の構成を示す図面である。
【００５０】
図４を参照すれば、本考案の実施形態に係る携帯用カード保管部２２０は、板形態の構造からなり、フラッシュメモリーカード２１０が挿入される形態に結合する結合溝２２１が形成される点から第１実施形態の構成と類似している。
【００５１】
ただし、携帯用カード保管部２２０は、アーティストの写真２２２を含み、図面では省略されているが、背面に額縁のように据え置きのための溝や支え具が形成されて額縁としての機能を含むことができる。
【００５２】
また、携帯用カード保管部２２０は、規格化された外周面の所定位置に少なくとも一つの結合突起２２３と結合溝２２４が形成される。
【００５３】
この時、結合突起２２３と結合溝２２４は、単なる四角形態で示したが、これに限定されず、ブロック単位結合をなす公知の技術を活用することができる。
【００５４】
図５は、本考案の第２実施形態に係る複数の携帯用カード保管部が結合された状態を示す図面である。
【００５５】
図５を参照すれば、本考案の第２実施形態により複数の携帯用カード保管部２２０を各単位で上下左右方向に結合配置した状態を示す図面である。
【００５６】
このように、複数の携帯用カード保管部２２０を結合してサイズが大きい額縁形態に所有保管することができ、同一のアーティストのアルバムを連結して所有保管する場合、その価値を高めることができるという利点がある。
【００５７】
このように本考案の実施形態によれば、フラッシュメモリーカードを通じて携帯に容易なモバイル端末器でも再生が可能なハイクォリティーの音源を提供することができる効果がある。
【００５８】
そして、フラッシュメモリーカードを結合保管できる携帯用カード保管ケースを構成することによって、体積が小さいフラッシュメモリーカードを簡便且つ安全に携帯することができる効果がある。
【００５９】
また、アーティストの著作情報を有形のアルバム構造で提供することによって、使用者が無形の音源を購入した時、所有価値をよりを高めることができる効果がある。
【００６０】
以上で本考案の実施形態について詳細に説明したが、本考案の権利範囲はこれに限定されず、実用新案登録請求の範囲で定義している本考案の基本概念を利用した当業者の多様な変形および改良形態も本考案の権利範囲に属する。
【符号の説明】
【００６１】
１００、２００…フラッシュメモリーカードアルバム
１１０、２１０…フラッシュメモリーカード
１２０、２２０…携帯用カード保管部
１２１、１３１…結合溝
１３０、２３０…ケース
１３２、２３２…搬出リボン
１４０、１５０、２４０…カバー
１６１…導体部
１６２…磁石部
２２３…結合突起
２２４…結合溝
【図１】
0003195984.tif 000003
【図２】
0003195984.tif 000004
【図３】
0003195984.tif 000005
【図４】
0003195984.tif 000006
【図５】
0003195984.tif 000007